(57)【要約】【課題】エレベーター用遠隔監視装置と監視センター間の通信手段に、ＰＨＳ等の無線通信機器を使用しているエレベーター用遠隔監視システムにおいて、ペースメーカーを付けた利用客に対し電磁波が出力される無線通信機器が設置されていることを知らせることができるエレベーター用遠隔監視システムを提供する。【解決手段】エレベーター制御装置４から遠隔監視装置５へ、乗り場呼び登録信号（Ｈｓ）、かご位置信号（Ｃｐ）、ドア開閉信号（Ｄｓ）が送信され、音声出力装置７の出力を制御するための信号（Ａｓ）、エレベーター運転状態表示機２の表示を制御するための信号（Ｉｓ）、が遠隔監視装置５より送信される構成とし、無線通信機器６が設置されている階床にて乗り場呼び登録がなされた場合、無線通信機器６が設置されていることを利用者に知らせる機能を有する構成とした。【選択図】図１
2005178922.tif 000002
【特許請求の範囲】
【請求項１】
各階床の乗り場に設置された乗り場呼び登録装置により、エレベーターかごを運転させるエレベーター制御装置と、前記乗り場呼び登録装置内に設置された無線通信機器により、エレベーターの状態監視情報を監視センターへ送受信する遠隔監視装置で構成されるエレベーターにおいて、前記無線通信機器が設置されている階床にて乗り場呼び登録がなされた場合に、音声にて無線通信機器が通信中であることをアナウンスする機能を有することを特徴としたエレベーター用遠隔監視システム。
【請求項２】
各階床の乗り場に設置された乗り場呼び登録装置により、エレベーターかごを運転させるエレベーター制御装置と、前記乗り場呼び登録装置内に設置された無線通信機器により、エレベーターの状態監視情報を監視センターへ送受信する遠隔監視装置で構成されるエレベーターにおいて、前記無線通信機器が設置されている階床にて乗り場呼び登録がなされた場合に、乗り場に設置されているエレベーター運転状態表示部に無線通信機器が設置されていることを表示する機能を有することを特徴としたエレベーター用遠隔監視システム。
【請求項３】
各階床の乗り場に設置された乗り場呼び登録装置により、エレベーターかごを運転させるエレベーター制御装置と、前記乗り場呼び登録装置内に設置された無線通信機器により、エレベーターの状態監視情報を監視センターへ送受信する遠隔監視装置で構成されるエレベーターにおいて、前記無線通信機器が設置されている階床の乗り場に無線通信機器が設置されていることを示す表示を行ったことを特徴としたエレベーター用遠隔監視システム。
【請求項４】
請求項１の構成において、かごが前記無線通信機器設置階より出発時に、音声によるアナウンスを終了する機能を有することを特徴としたエレベーター用遠隔監視システム。
【請求項５】
請求項２の構成において、かごが前記無線通信機器設置階より出発時に、エレベーター運転状態表示部の無線通信機器が設置されていることを示す表示を終了する機能を有することを特徴としたエレベーター用遠隔監視システム。
【発明の詳細な説明】
【技術分野】
【０００１】
本発明はエレベーター用遠隔監視システムに関する。
【背景技術】
【０００２】
エレベーターの遠隔監視を実施するにあたり、エレベーター用遠隔監視装置と監視センター間の通信手段は、一般的な有線方式と比べ設置作業が容易であるという理由から、ＰＨＳ等の無線通信機器を使用する方式の需要が増加している。
【０００３】
しかし、ＰＨＳ等の無線通信機器は設置場所の電波状況により通信を行えない場合があるため、機器本体、もしくはアンテナ部分を電波状況の良い場所へ設置する必要がある。また、機器の設置場所についても、エレベーターや建屋の意匠を損なうことなく、且つ盗難やいたずら等防犯上問題のない場所に設置可能であることが望まれる。
【０００４】
この種の装置としては、ＰＨＳのアンテナ部分のみを乗り場呼び登録装置内に設置することが知られている（特許文献１参照）。
【特許文献１】特開２００３−３４４７２公報（段落番号０００７〜００２０、第１図、第２図、第３図）。
【発明の開示】
【発明が解決しようとする課題】
【０００５】
しかしながら、前記従来技術においてはＰＨＳのアンテナを乗り場近傍に設置しているために、ＰＨＳが出力する電磁波により、ペースメーカーを付けた乗客が乗り場でエレベーターの到着待ちをしているときに、電磁波の影響を受ける可能性があるという問題点があった。
【０００６】
本発明は、このような従来技術の課題に鑑みなされたもので、エレベーター用遠隔監視装置と監視センター間の通信手段に、ＰＨＳ等の無線通信機器を使用するエレベーター用遠隔監視システムにおいて、ペースメーカーを付けた利用客に対して電磁波が出力されている機器が設置されていることを利用者に知らせるエレベーター用遠隔監視システムを提供することにある。
【課題を解決するための手段】
【０００７】
上記問題点を解決するために、請求項１の発明に係るエレベーター用遠隔監視システムは、各階床の乗り場に設置された乗り場呼び登録装置により、エレベーターかごを運転させるエレベーター制御装置と、前記乗り場呼び登録装置内に設置された無線通信機器により、エレベーターの状態監視情報を監視センターへ送受信する遠隔監視装置で構成されるエレベーターにおいて、前記無線通信機器が設置されている階床にて乗り場呼び登録がなされた場合に、音声出力装置から出力される音声にて、電磁波を出力する無線通信機器が設置されていることをペースメーカーを付けている利用者に注意を促すようにした。
【０００８】
請求項２の発明に係るエレベーター用遠隔監視システムは、各階床の乗り場に設置された乗り場呼び登録装置により、エレベーターかごを運転させるエレベーター制御装置と、前記乗り場呼び登録装置内に設置された無線通信機器により、エレベーターの状態監視情報を監視センターへ送受信する遠隔監視装置で構成されるエレベーターにおいて、前記無線通信機器が設置されている階床にて乗り場呼び登録がなされた場合に、乗り場に設置されたエレベーター運転状態表示機に電磁波を出力する無線通信機器が設置されていることを表示して、ペースメーカーを付けている利用者に注意を促すようにした。
【０００９】
請求項３の発明に係るエレベーター用遠隔監視システムは、各階床の乗り場に設置された乗り場呼び登録装置により、エレベーターかごを運転させるエレベーター制御装置と、前記乗り場呼び登録装置内に設置された無線通信機器により、エレベーターの状態監視情報を監視センターへ送受信する遠隔監視装置で構成されるエレベーターにおいて、前記無線通信機器が設置されている階床に電磁波を出力する無線通信機器が設置されていることを示す表示を行い利用者に注意を促すようにした。
【００１０】
請求項４の発明に係るエレベーター用遠隔監視システムは、かごが前記無線通信機器設置階より出発時に、無線通信機器が設置されていることを知らせる音声出力を停止させるようにした。
【００１１】
請求項５の発明に係るエレベーター用遠隔監視システムは、かごが前記無線通信機器設置階より出発時に、無線通信機器が設置されていることを知らせるエレベーター運転状態表示機の表示を停止させるようにした。
【発明の効果】
【００１２】
請求項１の発明によれば、無線通信機器が設置されている階床にて乗り場呼び登録がなされた場合に、電磁波を出力する無線通信機器が設置されていることを音声で知らせることにより、エレベーターの到着待ちをしているペースメーカーを付けた乗客に注意を促すことができる。
【００１３】
請求項２の発明によれば、無線通信機器が設置されている階床にて乗り場呼び登録がなされた場合に、電磁波を出力する無線通信機器が設置されていることをエレベーター運転状態表示機に表示して知らせることにより、エレベーターの到着待ちをしているペースメーカーを付けた乗客に注意を促すことができる。
【００１４】
請求項３の発明によれば、無線通信機器が設置されている階床に、電磁波を出力する無線通信機器が設置されていることを示す表示を行うことにより、エレベーターの到着待ちをしているペースメーカーを付けた乗客に注意を促すことができる。
【００１５】
請求項４の発明によれば、かごが前記無線通信機器設置階より出発時に、無線通信機器が設置されていることを知らせる音声出力を停止することにより、無線通信機器周辺に利用客がいないときは不要な音声出力を行わないようにすることができる。
【００１６】
請求項５の発明によれば、かごが前記無線通信機器設置階より出発時に、無線通信機器が設置されていることを知らせるエレベーター運転状態表示機の表示を終了することにより、無線通信機器周辺に利用客がいないときは通常通りの情報を表示することができる。
【発明を実施するための最良の形態】
【００１７】
以下、本発明を実施するための最良の形態を図に基づいて説明する。図１及び図２は、本発明の一実施形態を示している。
【００１８】
ただし、図１は本発明の一実施形態を示すエレベーター用遠隔監視システムの構成図、図２は本発明の一実施形態を示すエレベーター用遠隔監視システムの信号系統図である。
【００１９】
まず、図１を参照して本実施形態に係るエレベーター用遠隔監視システムの基本的な構成を説明する。図１において、１はエレベーターの乗りかご、２は乗り場に設けられたエレベーター運行状態表示機、３は乗り場に設けられた乗り場呼び登録装置、４はエレベーターかごを運転させるエレベーター制御装置、５はエレベーター制御装置４と接続されエレベーターの状態を監視する遠隔監視装置、６は遠隔監視装置と図示しない監視センター間の通信を行うための無線通信機器、７は音声出力装置である。６の無線通信機器は、本実施形態においては乗り場呼び登録装置３内に設置としたが、乗り場に設置された他の機器内に納める構成としても良い。
【００２０】
次に、図２を参照して本実施形態に係るエレベーター用遠隔監視システムの信号系統を説明する。図２において、エレベーター制御装置４から遠隔監視装置５へ、乗り場呼び登録信号（Ｈｓ）、かご位置信号（Ｃｐ）、ドア開閉信号（Ｄｓ）が送信される構成としてある。また、音声出力装置７の出力を制御するための信号（Ａｓ）、エレベーター運転状態表示機２の表示を制御するための信号（Ｉｓ）が遠隔監視装置５より送信される構成としてある。
【００２１】
以下、図１及び図２を併用して、本発明における第一の実施形態を説明する。
【００２２】
いま、無線通信機器６の設置されている階床の乗り場にて、乗客が乗り場呼び登録装置３により呼び登録を行ったとすると、かご１はエレベーター制御装置４の指令により、当該階床へ向けて運転を開始する。同時に、エレベーター制御装置４よりＨｓが送信されることにより、乗客が乗り場で待機中であるとみなし、遠隔監視装置５はＡｓを出力して音声出力装置７に音声の出力指令を行う。
【００２３】
このようにして、本発明における第一の実施形態のエレベーター用遠隔監視システムによれば、無線通信機器が設置されている階床にて乗り場呼び登録がなされた場合に、無線通信機器が設置されていることを音声出力装置による音声にて乗り場でエレベーターの到着待ちをしているペースメーカーを付けた乗客に知らせることができる。
【００２４】
次に、本発明における第二の実施形態を説明する。
【００２５】
まず、無線通信機器６の設置されている階床の乗り場にて、乗客が乗り場呼び登録装置３により呼び登録を行ったとすると、かご１はエレベーター制御装置４の指令により、当該階床へ向けて運転を開始する。同時に、エレベーター制御装置４よりＨｓが送信されることにより、乗客が乗り場で待機中であると見なし、遠隔監視装置５はＩｓを出力してエレベーター運転状態表示機２に電磁波を出力する無線通信機器が設置されていることを示す表示の表示指令を行う。
【００２６】
このようにして、本発明における第二の実施形態のエレベーター用遠隔監視システムによれば、無線通信機器が設置されている階床にて乗り場呼び登録がなされた場合に、無線通信機器が設置されていることを乗り場でエレベーターの到着待ちをしているペースメーカーを付けた乗客に視覚的に知らせることができる。
【００２７】
次に、本発明における第三の実施形態を説明する。
【００２８】
無線通信機器６の設置されている階床の乗り場にて、無線通信機器が設置されている階床に電磁波を出力する無線通信機器が設置されていることを示す表示を行う。
【００２９】
このようにして、本発明における第三の実施形態のエレベーター用遠隔監視システムによれば、無線通信機器が設置されている階床にてエレベーターの到着待ちをする場合、無線通信機器が設置されていることを乗り場でエレベーターの到着待ちをしているペースメーカーを付けた乗客に視覚的に知らせることができる。
【００３０】
次に、本発明における第四の実施形態を説明する。
【００３１】
ここでは、乗り場呼び登録装置３によりかご１が無線通信機器６の設置されている階床に到着後、エレベーター制御装置４より送信されるＣｐ及びＤｓにより、ドア閉じ出発完了を検出することにより、乗客が乗り場に存在していないものとみなし、音声出力装置７から出力されている無線通信機器が設置されていることを知らせる音声出力を停止する。
【００３２】
なお、ドア閉じ出発完了検出後、遠隔監視装置５内部の図示しないタイマー等により一定時限後に音声出力装置７の音声出力を停止するようにしてもよい。
【００３３】
このようにして、本発明における第四の実施形態のエレベーター用遠隔監視システムによれば、かごが前記無線通信機器設置階より出発時に、音声出力装置の出力を停止させるようにしたことで、無線通信機器周辺に利用客がいないときは不要な音声出力を行わないようにすることができる。
【００３４】
次に、本発明における第五の実施形態を説明する。
【００３５】
ここでは、乗り場呼び登録装置３によりかご１が無線通信機器６の設置されている階床に到着後、エレベーター制御装置４より送信されるＣｐ及びＤｓにより、ドア閉じ出発完了を検出することにより、乗客が乗り場に存在していないものとみなし、エレベーター運転状態表示機２の無線通信機器が設置されていることを知らせる表示を通常表示に戻す。
【００３６】
なお、ドア閉じ出発完了検出後、遠隔監視装置５内部の図示しないタイマー等により一定時限後にエレベーター運転状態表示機２の表示を通常表示に戻すようにしてもよい。
【００３７】
このようにして、本発明における第五の実施形態のエレベーター用遠隔監視システムによれば、かごが前記無線通信機器設置階より出発時に、エレベーター運転状態表示機２の表示を通常表示に戻すようにしたことで、無線通信機器周辺に利用客がいないときはエレベーター運転状態表示機２の表示を通常表示にすることができる。
【図面の簡単な説明】
【００３８】
【図１】本発明の一実施形態を示すエレベーター用遠隔監視システムの構成図である。
【図２】本発明の一実施形態を示すエレベーター用遠隔監視システムの信号系統図である。
【符号の説明】
【００３９】
１    かご
２    エレベーター運転状態表示機
３    乗り場呼び登録装置
４    エレベーター制御装置
５    遠隔監視装置
６    無線通信機器
７    音声出力装置
Ｈｓ  乗り場呼び登録信号
Ｃｐ  かご位置信号
Ｄｓ  ドア開閉信号
Ａｓ  音声出力制御装置
Ｉｓ  表示制御装置
【図１】
2005178922.tif 000003
【図２】
2005178922.tif 000004